(57)【要約】【課題】  本発明の超照射装置及びアダプターは、新生児、小児科患者の皮膚の下を観察するために好都合な装置を提供する。【解決手段】  本発明の超照射装置は、アダプターを用い、新生児、小児科用に、より適するものとした。  アダプターは、超照射装置の底面に取り付けられ、照射源をカバーするものである。アダプターにある開口により、照射装置からの光の一部が、アダプターを通り、残りが遮断されるようになる。低減された光は、小児科患者を観察するための超照射装置の能力を高める。【選択図】  図１
2008272283.tif 000002
【特許請求の範囲】
【請求項１】
外被体、
観察領域、
観察領域を照射する光源、
外被体に設けられ、光源を被覆するアダプターを備え、アダプターは、光源により発光の一部を遮断していることを特徴とする超照射装置。
【請求項２】
該アダプターは、外被体に取り外し可能に設けられていることを特徴とする請求項１に記載の超照射装置。
【請求項３】
該アダプターは、アーチ形であり、第１と第２の端部を備え、アダプターの開口部は、光の通過部分となることを特徴とする請求項１に記載の超照射装置。
【請求項４】
該開口部は、第１及び第２の端部から等距離に離れていることを特徴とする請求項３に記載の超照射装置。
【請求項５】
外被体に係合するアダプターには、突起部が設けられていることを特徴とする請求項１に記載の超照射装置。
【請求項６】
アダプターの開口部は、光の通過部分になるものであることを特徴とする請求項１に記載の超照射装置。
【請求項７】
観察領域は、外被体中の空けられた領域に形成され、その領域は、外被体の正面端に形成されたスロットを備えるものであることを特徴とする請求項１に記載の超照射装置。
【請求項８】
２つの端部を有するアーチ形の部材、
その部材内にある開口部、
超照射装置と結合する手段を有することを特徴とする超照射装置用のアダプター。
【請求項９】
２つの端部から等距離にある開口部であることを特徴とする請求項８に記載のアダプター。
【請求項１０】
結合手段は、突起部であることを特徴とする請求項８に記載のアダプター。
【発明の詳細な説明】
【技術分野】
【０００１】
本発明は、超照射装置（トランスイルミネイションー身体の一部に強い光を当てて透視する徹底照射法）に関する。
【背景技術】
【０００２】
超照射装置（トランスイルミネイション）とは、診断の目的のために身体空洞或いは器官を通して光を照らすものである。典型的には超照射装置は、光がぼやけたり、或いは消えたりする場所で行われ、その部分の観察、研究を容易にするものである。明るい光が、その空洞或いは器官を向けられ、観察されるべき部分が少し半透明性になるもので、いくらかの光がその部分或いは器官を透過する。この試験は、水頭症を持つ新生児或いは幼児に対して、或いは水瘤腫の疑いを有する男性に対してよく行われる。更に、病巣及び／或いは嚢腫の検知された胸組織に試験が為される。新生児では、この試験は、気胸の疑いがある場合、胸空洞を超照射するために使用される。新生児のみでは、胸の超照射が可能である。超照射検査は、痛みがなく、低価格の装置で迅速にできるものである。
【０００３】
超照射装置の古典的なものは、対象物の内部を詳細に観察するために、光を照らすものである。他の超照射法は、サイド超照射である。サイド超照射では、光は、対象物の側面から照らされ、皮膚の下に実質上の光源が形成される。光源は、機器とともに動き、約６ｍｍの深さまで、身体の一部を超照射するものである。
【発明の開示】
【発明が解決しようとする課題】
【０００４】
サイド超照射法を行う場合、外光から観察すべき領域を遮断することが、効果的である。新生児用のサイド超照射装置は、最適なものよりも、多すぎる光を発生する。
【０００５】
本発明の目的は、小児科患者に超照射を行うための装置を提供することである。
【０００６】
本発明の他の目的は、小児科患者に使用される超照射装置のためのアダプターを提供することである。
【０００７】
他の目的や利点や本発明の完全な理解は、次の具体例や添付図の説明から分かる。
【０００８】
本発明の目的は、画像を最適にするために異なる色の光を有する超照射装置を提供することである。
【０００９】
本発明のこのような目的などは、当業者により、本発明の開示が読まれると明白である。
【課題を解決するための手段】
【００１０】
本発明によると、次のような発明である。
（１) 外被体、
観察領域、
観察領域を照射する光源、
外被体に設けられ、光源を被覆するアダプターを備え、アダプターは、光源により発光の一部を遮断していることを特徴とする超照射装置を提供する。
（２）アダプターは、外被体に取り外し可能に設けられている。
（３）アダプターは、アーチ形であり、第１と第２の端部を備え、アダプターの開口部は、光の通過部分となる。
（４）開口部は、第１及び第２の端部から等距離に離れている。
（５）外被体に係合するアダプターには、突起部が設けられている。
（６）アダプターの開口部は、光の通過部分になるものである。
（７）観察領域は、外被体中の空けられた領域に形成され、その領域は、外被体の正面端に形成されたスロットを備えるものである。
【００１１】
（８）２つの端部を有するアーチ形の部材、
その部材内にある開口部、
超照射装置と結合する手段を有することを特徴とする超照射装置用のアダプターを提供する。
（９）２つの端部から等距離にある開口部であるアダプター。
（１０）結合手段は、突起部であるアダプターである。
【発明の効果】
【００１２】
これら及び他の問題は、本発明により解決され、克服され、本発明の超照射装置は、新生児や小児科患者用に、特に有利で、効率的な観察ができる。
【００１３】
本発明のサイド超照射装置は、アダプターを使用することにより、水頭症の新生児や幼児の診断、水瘤腫の診断或いは、嚢腫の診断、気胸の診断において、より精密に観察することができる。
【発明を実施するための最良の形態】
【００１４】
図１は、小児科用アダプター１２を有する超照射装置１０の底面図である。アダプターの機能及び超照射装置への取り付けは、以下詳細に説明される。
【００１５】
図２は、超照射装置及び小児科用アダプターの展開図である。アダプター１２は、装置の底面２０に取り付ける。底面は、正面端部に延びているアーチ形開口を有し、使用者に観察領域を提供する。ガラスリング２２は、開口の端部の周りにある。装置は、LED２６を設けた回路板２４のような照射源を外被している。使用者は、対のアクチュエイタ２８とボタン３２と回路板の間にある接点３０により照射を制御する。
【００１６】
頂面３４と電池カバー３６が、超照射装置の外被体を完結する。底面と同様に、頂面３４は、正面端部に延びる開口を有し、観察領域を完結する。シールド４０は、外光を遮断し、使用者により目標領域の観察を向上させる。
【００１７】
図３は、１２個のLEDの列26を有する回路板２４を示す。中央の４つのLEDは、残りのLEDよりも互いに蜜に配置されている。残りの８つのLEDは、４つのLEDと回路板に形成されたアーチ形の開口の端部との間に均等に配置されている。
【００１８】
図４は、アダプターの頂面図である。アダプターの形状は、回路板と超照射装置の両方の開口に相当しており、その開口を通して、使用者は、超照射された領域を観察する。アダプターは、適当な手段により、超照射装置に固定され、それは、取り外し可能、或いは、永久に固定にもできる。その手段の１つは、頂面に突起部を設けることである。突起部１４，１６は、観察領域を形成する開口の端部に勘合することにより、アダプターを超照射装置に、取り外し可能に固定することができる。
【００１９】
空口部１８が、アダプター中に形成されている。アダプターが超照射装置に取り付けられた場合、４つの中央のLEDは、空口部１８から光を送る。残りのLEDにより送られた光は、アダプターにより遮断される。低減され、送られた光は、新生児及び小児科用に、有利である。
【００２０】
図５に示されるアダプターの側面図は、突起部14、１６の詳細及びアダプターの残りとの関係を明確に示す。
【００２１】
本発明を、好適な具体例を参照して説明したが、その変更例や変化例は、当業者には、容易に分かる。本発明は、そのような変更例や変化例を含むものである。
【産業上の利用可能性】
【００２２】
本発明の超照射装置は、新生児、小児科患者の皮膚下の患部を観察する場合に、より、効率よく、鮮明に観測できる。それにより、水頭症の新生児や幼児の診断、水瘤腫の診断或いは、嚢腫の診断、気胸の診断において、より精密に観察することができる。
【図面の簡単な説明】
【００２３】
【図１】小児科用アダプターを有する超照射装置の底面斜視図である。
【図２】小児科用アダプターを有する超照射装置の展開図である。
【図３】超照射装置の照射源の底面図である。
【図４】小児科用アダプターの平面図である。
【図５】小児科用アダプターの側面図である。
【図１】
2008272283.tif 000003
【図２】
2008272283.tif 000004
【図３】
2008272283.tif 000005
【図４】
2008272283.tif 000006
【図５】
2008272283.tif 000007